(57)【特許請求の範囲】
【請求項１】
遊技機または球貸機に遊技球を補給する、底面および少なくとも一枚の側面を有する補給樋であって、
底面を構成する底板の上には保護層が形成され、前記保護層の表面が前記補給樋の底面をなしており、
前記底板の上面は幅方向に水平に形成され、前記保護層の表面は、幅方向について少なくとも一方の側面の近傍において該側面に向かう下り傾斜が設けられ、底面と側面とに共に接触するパチンコ球が底面と接触する位置における傾斜角の値が前記補給樋の長手方向の勾配（％）の値よりも大きく形成されていることを特徴とする補給樋。
【請求項２】
補給樋の長手方向の勾配の値が水平面に対して５°となるような値よりも小さい請求項１記載の補給樋。
【請求項３】
補給樋の長手方向の勾配が２％以上である請求項２記載の補給樋。
【請求項４】
補給樋の長手方向の勾配が２％である請求項１記載の補給樋。
【請求項５】
底板の母材と保護層との間に、保護層よりもヤング率の低い柔軟材料からなる消音層を積層する請求項１〜４のいずれか１項に記載の補給樋。
【請求項６】
側面には補給樋の内側に向かって突起部が設けられている請求項１〜５のいずれか１項に記載の補給樋。
【発明の詳細な説明】
【技術分野】
【０００１】
本発明は、遊技機または球貸機に遊技球を供給する補給樋、およびこれを備える遊技機設置島に関する。
【背景技術】
【０００２】
パチンコ機に代表される遊技機は、遊技機設置島（以下、「島」と略記することがある。）に対し、島の長手方向に沿って複数台が背中合わせ、かつ横並びに配置されることが一般的である。また島には、遊技機同士の間にこれと隣接して球貸機が配置される。球貸機から貸し出された遊技球は機械的に、または遊技者の手作業によって遊技機に送られ、遊技に供される。また各遊技機から排出された使用済みの遊技球は、島の下部に配された下部タンクに集められ、必要に応じて清掃または研磨され、揚送装置によって島上方に配された球タンクに揚送される。
【０００３】
一方、島の上部には、開閉可能な幕板が複数設けられ、その内部には、遊技機設置島の長手方向に所定の勾配をもつ補給樋が配されることが一般的である。球タンクから放出された遊技球は、補給樋上を転動し、途中、導出路を備えるシュートと呼ばれる分配装置を介して、各遊技機または球貸機に補給される。なお、一般的な補給樋における遊技機設置島の長手方向の勾配は、水平面に対し約５度である。したがって、例えば長手方向に１０ｍの長さをもつ補給樋は、自身の厚みに加え、高さ方向に８０ｃｍ以上の設置スペースを要することとなる。
【０００４】
補給樋は、下記特許文献１に例示するように、底面部と、該底面部の左右に起立する側面部とからなる、上面が開放したアルミ製の角樋が一般に用いられている。また該文献に記載の補給樋において、側面部には、遊技球の直径よりも少し大きい高さと、複数個の球が並列に流出可能な幅とを有する矩形の側面開口部が、島に設置された遊技機に対応して開設されている。
【０００５】
【特許文献１】特公平７−８７８７６号公報
【発明の開示】
【発明が解決しようとする課題】
【０００６】
しかしながら、特許文献１に記載の補給樋においては、球タンクから十分な数量の遊技球が供給され、かつ長手方向について水平面から約５度という十分な勾配が設けられているにもかかわらず、例えば複数台の遊技機において同時に大当りが発生し、遊技球を大量に供給する必要がある場合に、補給樋からシュートに導出される遊技球の数が不足し、遊技機への遊技球の補給が間に合わなくなるという問題が生じていた。
【０００７】
そこで、遊技球の補給効率を向上するため、球タンクから補給樋に供給する遊技球の数を増やすことが試みられた。しかしこの場合、補給樋の幅方向の中央部を中心に遊技球の数密度の高い領域が発生してしまい、これがシュートの上流に位置する遊技球との間でブリッジを形成し、かかる上流の遊技球の転動性を損なうという問題が生じてしまう。このため、遊技球の供給数の増加に見合う補給効率の向上は期待できなかった。
【０００８】
また、補給樋の側面近傍における遊技球の流動性を向上させるため、補給樋の長手方向に対する勾配を大きくすることも試みられた。しかし、かかる勾配を大きくすることは、補給樋を設置するための島全体の高さ寸法を拡大することにつながるため、遊技者に圧迫感を与えたり、遊技店の監視装置の視野を狭めたりすることとなり、遊技店等に島を設置する都合上好ましくないものであった。
また、動力装置により補給樋の中央部から側面に向けて遊技球の転動を促す荷重を与えて遊技球のシュートへの導出効率を改善する発明もなされたが、部品点数の増加に伴うコストの増大や、故障率の上昇を招くために好ましくない。
【０００９】
以上より、本発明においては、少ない部材点数により、補給樋を転動する遊技球を効率的にシュートより導出させ、島に設置された遊技機への遊技球の補給がスムーズに行われる補給樋を提供することを目的とする。
【課題を解決するための手段】
【００１０】
本発明にかかる補給樋は、
（１）遊技機または球貸機に遊技球を補給する、底面および少なくとも一枚の側面を有する補給樋であって、底面を構成する底板の上には保護層が形成され、前記保護層の表面が前記補給樋の底面をなしており、前記底板の上面は幅方向に水平に形成され、前記保護層の表面は、幅方向について少なくとも一方の側面の近傍において該側面に向かう下り傾斜が設けられ、底面と側面とに共に接触するパチンコ球が底面と接触する位置における傾斜角の値が前記補給樋の長手方向の勾配（％）の値よりも大きく形成されていることを特徴とする補給樋；
（２）補給樋の長手方向の勾配の値が水平面に対して５°となるような値よりも小さい上記（１）記載の補給樋；
（３）補給樋の長手方向の勾配が２％以上である上記（２）記載の補給樋；
（４）補給樋の長手方向の勾配が２％である上記（１）記載の補給樋；
（５）底板の母材と保護層との間に、保護層よりもヤング率の低い柔軟材料からなる消音層を積層する上記（１）〜（４）のいずれか１つに記載の補給樋；
（６）側面には補給樋の内側に向かって突起部が設けられている上記（１）〜（５）のいずれか１つに記載の補給樋；
を要旨とする。
【発明の効果】
【００１２】
従来の補給樋においては、遊技球の転動駆動力は基本的に補給樋の長手方向へと向かう重力成分のみであるため、補給樋の中央部から側面近傍へと幅方向に遊技球を駆動させる力は働かず、遊技球をスムーズに転動させて所望のシュートに供給することが困難であった。これに対し、本発明にかかる補給樋によれば、補給樋の中央部に遊技球が滞留することなく、補給樋の上流から下流に向かって流下してくる遊技球に対して側面に向かう荷重を与え、幅方向への転動性を高めることでシュートからの導出効率を高めることが可能となる。
【発明を実施するための最良の形態】
【００１３】
以下、本発明を実施するための最良の形態について、図面を用いて具体的に説明する。図１は遊技機設置島１０の部分正面図であり、図中右側は図示を省略している。なお、遊技者が遊技機に向かう方向を遊技機設置島１０の正面とする。遊技機設置島１０に設置される遊技機は、遊技媒体を用いて遊技者が遊技を行う機器であれば特に限られるものではなく、パチンコ機や、パチンコ球を用いたスロットマシン（所謂、パロット）などが例示される。以下、遊技機としてパチンコ機を、遊技媒体としてパチンコ球を例にとり本発明を説明する。
【００１４】
球タンク３０に多数貯留されたパチンコ球をパチンコ機１００に供給する際は、まず球タンク３０から補給樋２０にパチンコ球が供給される。補給樋２０は内部をパチンコ球が転動流下できるよう、その長手方向に沿って所定の勾配（図１参照）を付けて遊技機設置島１０に設けられている。補給樋２０の中心線形状は直線状が一般的であるが、パチンコ機１００のレイアウトに応じて湾曲や分岐をしていてもよい。また長手方向に対する勾配の大小については、場所によらず一定とすることも、球タンク３０に近い上流側の勾配を大きくしてパチンコ球を速やかに球タンク３０から補給樋２０に供給させることも、逆に下流側の勾配を大きくして球タンク３０から遠い位置においてパチンコ球が滞留することを防ぎパチンコ球の流動性を高めることも可能である。
【００１５】
補給樋２０には、その長手方向に沿って間欠的に、設置されたパチンコ機１００に対応する位置に、開口を有するシュート４０が設けられ、導出路４２を介して補給樋２０から所定量のパチンコ球をパチンコ機１００に供給する。パチンコ機１００に供給され、遊技者の遊技に供されたパチンコ球は、使用を終えるとパチンコ機１００から排出され、パチンコ機１００の背面下方に設けられたアウトタンク（図示せず）にて計数され、遊技機設置島１０の下方へ排出される。遊技機設置島１０の下方に排出されたパチンコ球は、さらに遊技機設置島１０の下方に設けられた排出樋５０を経由して下部タンク６０に集められる。下部タンク６０に貯留されたパチンコ球は、必要に応じて研磨または清掃され、揚送装置７０によって上部の球タンク３０に搬送されて、再度補給樋２０を通じてパチンコ機１００に供給されることとなる。
【００１６】
遊技機設置島１０においては、補給樋２０の汚染や、転動するパチンコ球への外部からのアクセスを防止するため、幕板（図示せず）によりこれを外側から被覆する。またパチンコ機１００や、パチンコ球貯留箱（通称、ドル箱）を載置する膳板１１０は、ベース板１３０および腰板１４０を備える箱型キャビネットにより支持されている。腰板１４０はこれらを支持する構造部材としての役割と、内部に設けられた排出樋５０を転動する遊技球へのアクセスを防止する役割とを担っている。
【００１７】
遊技機設置島１０は、パチンコ機１００へのパチンコ球の補給をスムーズにおこなうことのできる補給樋２０を備えるものであり、また補給樋２０の長手方向の勾配を従来よりも小さなものとすることで補給樋２０の設置に要する高さ寸法を小さくすることのできるものである。
【００１８】
図２は本発明の第一の実施の形態にかかる補給樋２０の横断面図である。補給樋２０の横断面は、底板２１と側面２２とからなる略Ｌ字状をなしている。底板２１のうち、幅方向の基端側（図中右側）は遊技店の内壁などの壁面１２０に固定され、先端側には側面２２が立設している。また底面２４には側面２２の側が下がるよう、幅方向に傾斜角（同図参照）が付けられている。
【００１９】
なお、本発明において「（補給樋の）底面」とは、補給樋２０を構成する底板２１の上面、またはその上に形成された保護層の上面のうち、転動流下するパチンコ球８０が接触する部分をいうものとする。また本発明は、底面が幅方向について側面に向かう下り傾斜をなすことを特徴とするものである。
以上から本発明においては、例えば、
１）図２に示すような、全体が傾斜した平板からなる底板の上面；
２）底板の全体を上に凸となるように撓ませてなる底板の上面；
３）底板が厚肉材料から形成され、その上面に、幅方向について少なくとも一方の側面に向かう下り傾斜が設けられている場合の該上面；
４）底板の上面が、側面の近傍においてのみ幅方向について該側面に向かう下り傾斜が設けられ、側面から離れた位置においてはかかる下り傾斜が設けられていない場合の該上面；
５）上記１）から４）の底板の上面に保護層が形成され、該保護層の表面のうち幅方向について、少なくとも側面の近傍において、該側面に向かう下り傾斜が設けられている場合の該表面；
６）底板の上面は水平、または幅方向について側面に向かって上り傾斜が形成されており、一方、該上面に形成された保護層の表面については、幅方向について少なくとも一方の側面の近傍において該側面に向かう下り傾斜が設けられている場合の該表面；
は、いずれも本発明における「（補給樋の）底面」として採り得る。なお、保護層の具体的な構成については後述する。
【００２０】
側面２２には、長手方向（同図における紙面に対し鉛直上下方向）に沿って間欠的に切欠部が設けられ、複数のシュート４０（同図には図示せず）がそれぞれの開口を該切欠部に合わせて取り付けられている。
【００２１】
本実施の形態にかかる補給樋２０によれば、その底面２４の上を転動流下するパチンコ球８０は、常に側面２２に押し当てられる方向に重力荷重を受けるため、シュート４０の開口からの導出が促進される。これは、少なくとも側面２２の近傍において、パチンコ球８０との接触位置における底面２４の上向きの法線が、鉛直上方よりも側面２２の側を向くことにより、パチンコ球８０に作用する重力（同図：ベクトルＧ）が、補給樋２０の幅方向について側面２２に向かう成分（同図：ベクトルＴ）を持つことに起因する。
【００２２】
これにより、側面２２の近傍を補給樋２０の長手方向に流下するパチンコ球８０がシュート４０の開口に導出されずにこれを通過してしまったり、シュート４０の近傍でブリッジが形成されてパチンコ球８０の流動性が低下したりするという従来の補給樋２０の問題が解決され、シュート４０からの導出効率の高い補給樋２０およびこれを備える遊技機設置島１０が得られることとなる。
【００２３】
このため本発明によれば、補給樋２０の長手方向に対する勾配を従来と同等とし、すなわち補給樋２０の設置に要する高さ寸法を従来と同等とした場合、シュート４０からパチンコ機１００へのパチンコ球８０の供給効率を高めることができる。また逆に、パチンコ球８０の供給効率を従来と同等に維持した場合、補給樋２０の長手方向に対する勾配を従来よりも浅くすることが可能となるため、補給樋２０の設置に要する高さ寸法を小さくすることができ、遊技機設置島１０の全体の高さをより低く抑えることが可能となる。
【００２４】
なお、本実施の形態にかかる補給樋２０は、その自重、および幅方向の先端側に集中するパチンコ球８０の重量に基づくモーメント荷重が、壁面１２０との結合部に大きく作用するため、底板２１の幅方向の基端側を壁面１２０に嵌合固定するとともに、その裏面側を支持部材２８により支持する構成としている。
【００２５】
補給樋２０を遊技機設置島１０に設置する方式は、壁面１２０に固定する上記の方式に限るものではなく、遊技店の内壁面に固定する方式や、補給樋２０の長手方向の両端部および／または中間部を遊技機設置島１０の上部から吊下する方式、または補給樋２０の下面を遊技機設置島１０に載置する方式等も採り得る。また補給樋２０は図２に示す断面略Ｌ字状に限らず、パチンコ球８０がその上または内部を流下可能なものであれば、例えば上方が開口した断面コ字状や、中空の閉断面を有するものであってもよい。
【００２６】
また、本発明にかかる補給樋２０およびこれを備える遊技機設置島１０によれば、パチンコ機１００のみならず、球貸機にもパチンコ球８０を効率的に供給することができる。球貸機は遊技者にパチンコ球８０を貸し出す装置であって、一般にパチンコ機１００に隣接して設けられ、パチンコ機１００と同様に補給樋２０からシュート４０および導出路４２を介してパチンコ球８０が供給されるからである。
【００２７】
図３に、本発明の第二の実施の形態にかかる補給樋２０の部分斜視図を示す。本実施の形態にかかる補給樋２０は、底板２１と、対向する一対の側面２２とから構成される上方開口型のコ字状断面を有する。底面２４は上に凸の曲面からなり、中央部がもっとも高く突出し、そこから両側面に向かって下り傾斜をなすことを特徴とする。
【００２８】
かかる底面２４を有することにより、補給樋２０の長手方向に流下するパチンコ球８０に対し、補給樋２０の幅方向について中央部から両側面に向けてそれぞれ転動するよう重力成分を負荷することが可能となる。これにより、特別な機構や装置を補給樋２０に設けることなく少ない部材点数によって、パチンコ機１００や球貸機へのパチンコ球８０の供給効率を高めることができる。
【００２９】
すなわち、底面２４が幅方向の中央部から両側面のそれぞれに向かう下り傾斜をなすことにより、流下するパチンコ球８０に作用する重力には、下流に向かう長手方向の底面接線方向成分と、底面からの垂直抗力成分と、側面に向かう幅方向の底面接線方向成分とが発生し、パチンコ球８０は自重により側面に押し当てられる荷重を受けることができる。
【００３０】
一方、側面２２には所定長さの切欠部２７が設けられ、シュート４０が切欠部２７に開口を合わせて取り付けられている。このため、かかる開口に到達したパチンコ球８０は、上記の幅方向に作用する重力成分により、確実に補給樋２０からシュート４０に排出され、パチンコ機１００に供給される。
【００３１】
本実施の形態の如き底面２４の両側に側面２２を設けることにより、遊技機設置島１０の対向する長手方向に沿って、横並びのパチンコ機１００や球貸機を背中合わせに２列にわたって配設する場合でも、一本の補給樋２０を遊技機設置島１０の中央上部に架設することで、該背中合わせにされた両側のパチンコ機１００や球貸機にパチンコ球８０を同時に供給することができる。
【００３２】
また、底面２４が、中央部がもっとも突出した上に凸の滑らかな曲面であることにより、パチンコ球８０が補給樋２０の中央部を乗り越えて幅方向の反対側に流動することを可能としつつも、両側面に対してパチンコ球８０を押し当てる方向の重力成分を得ることができる。
【００３３】
すなわち、補給樋２０のいずれか一方の側面側に設けた複数台のパチンコ機に大当りが集中して発生し、パチンコ球８０を該一方から多く供給すべき場合であっても、パチンコ球８０が補給樋２０の幅方向の反対側にも容易に流動可能であるため、所定量のパチンコ球８０を補給樋２０に供給することにより、パチンコ球８０の供給が間に合わなくなる不都合を回避できる。また、球タンク３０から補給樋２０へのパチンコ球８０の供給が、幅方向の片側のみから行われる場合でも、両側面に取り付けられたシュート４０に均等にパチンコ球８０を供給することができる。
【００３４】
図４（ａ）は本実施の形態にかかる補給樋２０を長手方向から見た正面図であり、図（ｂ）は円Ｘ部の拡大図である。また同図（ｂ）には、側面２２と底面２４とに当接するパチンコ球８０も図示している。
【００３５】
側面２２には補給樋２０の内側に向かって筋状の突起部２２１が複数段にわたって設けられている。同図（ｂ）に示すように、最下段の突起部２２１ａが底板２１と当接することで、側面取付溝２５２と嵌合する側面２２を支持している。二段目の突起部２２１ｂは、同図に示す断面においてパチンコ球８０と点接触することで、側面２２とパチンコ球８０との間の摩擦を低下させている。側面２２に突起部が予め設けられていない場合、補給樋２０が繰り返しの使用に供されると、パチンコ球８０との接触による損耗により側面２２には凹面（凹溝）が形成され、以後、パチンコ球８０と面接触をすることになり、両者の間の動摩擦が上昇してパチンコ球８０の流動性が低下する虞があるところ、突起部２２１ｂを側面２２から突出させておくことで、これが残存する限り側面２２とパチンコ球８０とは点接触の状態を維持可能となる。
【００３６】
また突起部２２１ｂは、パチンコ球８０の重心よりも低い位置においてパチンコ球８０と当接する。このため、側面２２に押し当てられつつ長手方向に流下するパチンコ球８０は、同図（ｂ）に示すように、側面２２の側に斜めに傾いた回転軸を中心として、突起部２２１ｂと接触しながら下流に転動することとなる。かかる斜め回転により、シュート４０の開口にさしかかったパチンコ球８０は該開口の内部に巻き込まれやすくなる。またかかる斜め回転が生じても、突起部２２１ｂはパチンコ球８０の重心よりも低い位置でこれと当接するため、パチンコ球８０には突起部２２１ｂからの抗力が、斜め上方にこれを押し上げる方向に作用する。よって、補給樋２０の底面２４の有する傾斜角の働きによってパチンコ球８０が側面２２に押圧される本発明によっても、側面２２と底面２４との間にパチンコ球８０が挟まってその流動性が低下することはない。
【００３７】
側面２２の材料は特に限定されるものではないが、耐久性や低摩擦性の観点からはステンレス（ＳＵＳ）などの金属が好ましい。また、膨出する突起部２２１を容易に形成可能であり、さらに、設置されるパチンコ機１００や球貸機のレイアウトに応じて適切な位置に切欠部２７を自在に設けられる観点から、樹脂により成形することも好適といえる。また、一般に鋼鉄からなるパチンコ球８０と、突起部２２１ｂとの動摩擦力を所定の大きさに発生させて、上記の斜め回転を適切に生じさせることを可能とする観点からも、側面２２を動摩擦係数の比較的大きい樹脂材料とすることが好適である。
【００３８】
また本発明は、底面２４と側面２２とに共に接触するパチンコ球８０が底面２４と接触する位置において、底面２４が幅方向に所定の傾斜角を有していることが好ましい。好適な傾斜角はパチンコ球８０と側面２２との間の動摩擦係数、突起部２２１ｂの有無、位置および形状、パチンコ球８０の材料および径、底面２４の材料、ならびに補給樋２０の長手方向に対する勾配によって変動する。
【００３９】
一例として、底面２４の材料をアルミ、側面２２を突起部２２１ｂを設けない樹脂平板、補給樋２０の勾配を２％、パチンコ球８０を直径１１ｍｍの鋼鉄球とした場合、傾斜角を２．１％（＝ａｒｃｔａｎ（０．０２１））程度とすることで、パチンコ球８０の良好な流動性と、シュート４０の開口からの導出性をともに享受できる。
【００４０】
本発明にかかる補給樋２０は、底板２１の表面に保護層２６が形成されていてもよい。保護層２６は、底板２１の母材よりも硬度が高く、かつパチンコ球８０に対する動摩擦係数が低いものであることが好ましい。かかる保護層２６を、底板２１の上面のうち、パチンコ球８０と接触する部分に形成することによりパチンコ球８０の流動性を向上することができる。
【００４１】
なぜならば、まず保護層２６の硬度を底板２１の母材よりも高くすることにより、パチンコ球８０により底面２４が削られて凹凸が生じ、パチンコ球８０の転動性を悪化することが防止されるためである。特に、保護層２６のロックウェル硬度を高くすることがかかる目的を好適に果たすため好ましい。さらに、保護層２６のロックウェル硬度を、パチンコ球８０の表面の該硬度（ＨＲＣ５６〜６０）よりも高くすることにより、底面２４の保護がもっとも好適に行われる。
【００４２】
また、パチンコ球８０に対する動摩擦係数を、底板２１の母材のそれよりも小さくすることにより、パチンコ球８０の転動流下がさらに促進され、その補給効率が向上する。
【００４３】
底板２１の母材の表面に保護層２６を形成する方法は特に限定されるものではなく、底板２１の表面に、より高硬度かつ平滑な異種材料からなるプレートを積層する方法、メッキにより底板２１の母材の表面を被覆する方法、または底板２１の表面に焼き入れを施して表面改質を行う方法など、各種を採り得る。
【００４４】
具体例としては、底板２１の母材をアルミまたはアルミ合金の押出成形、保護層２６をＳＵＳの圧延成形によってそれぞれ製造し、これらを接着剤により接着することで、底板２１の表面に保護層２６を容易に形成することができる。
【００４５】
かかる方法による場合、加工性の高いアルミ（合金）によって図４（ａ）に例示する複雑な横断面形状の底板２１を比較的容易に得ることができる。一方、加工性に劣るＳＵＳからなる保護層２６は、単純な薄板を所定の曲率に撓ませ、これを底板２１に接着する工程のみで得られるため、補給樋２０全体の加工コストを低く抑えることができる。具体的には、０．５ｍｍ程度の厚さのＳＵＳプレートを用いることで、底面２４に求められる曲率に応じた曲げ加工を容易としつつ、表面の十分な保護効果が図られる。
【００４６】
これに対し、ＳＵＳのみで底板２１を得る場合、材料コストおよび加工コストが甚大となる。さらにこの場合、パチンコ球８０の流動性と底面２４の保護効果は高いものの、アルミ（合金）に比べて２〜３倍程度密度が高いため、補給樋２０の質量がきわめて大きなものになるという問題がある。
【００４７】
したがって、本実施の形態にかかる補給樋２０によれば、底板２１の母材を軽量のアルミ（合金）から成形し、その上面にＳＵＳの薄板を積層することにより、補給樋２０全体の軽量化が図られ、遊技機設置島１０の上方に架設される補給樋２０のハンドリング性が向上するという利点がある。
【００４８】
なお、ＳＵＳ板を底板２１の母材に積層するにあたっては、補給樋２０の長手方向について一枚のＳＵＳ板により全体を被覆することが好ましいが、加工コスト等の観点から、長手方向の１／２〜１／３程度の長さをもつＳＵＳ板を並べて貼り合わせてもよい。このとき、ＳＵＳ板同士の繋ぎ目においては、段差が生じないよう、パチンコ球８０の径に対して数％程度以下の幅の隙間とすることが好ましい。
【００４９】
底板２１の母材の表面に高硬度材料からなる保護層２６を形成したことにより、パチンコ球８０を球タンク３０から補給樋２０に供給する際の供給音や、補給樋２０を流下するパチンコ球８０の転動音が大きくなる場合は、母材と保護層２６との間に、保護層２６よりもヤング率の低い柔軟材料からなる消音層を積層してもよい。
【００５０】
２５１はヒータ取付ガイドである。冬季や夜間などに補給樋２０が結露して空気中の埃等が底面２４に付着し、パチンコ球８０の転動性を低下させることのないよう、図示しないヒータをヒータ取付ガイド２５１に取り付けて補給樋２０を加温する。
固定座２５３は、補給樋２０を遊技機設置島１０の架台に載置する場合にこれと当接する座面である。またシュート４０を補給樋２０に取り付ける際の係合片としての機能も有している。
レール溝２５４には、遊技機設置島１０の架台と補給樋２０とを固定する留め具等を、補給樋２０の長手方向に沿って摺動自在に保持可能である。
【図面の簡単な説明】
【００５１】
【図１】遊技機設置島の部分正面図。
【図２】本発明の第一の実施の形態にかかる補給樋の横断面図。
【図３】本発明の第二の実施の形態にかかる補給樋の部分斜視図。
【図４】本発明の第二の実施の形態にかかる補給樋の（a）正面図、（ｂ）円Ｘ部の拡大図。
【符号の説明】
【００５２】
遊技機設置島    １０
補給樋    ２０
底板    ２１
側面    ２２
底面    ２４
保護層    ２６
球タンク    ３０
シュート    ４０
導出路    ４２
排出樋    ５０
下部タンク    ６０
揚送装置    ７０
パチンコ球    ８０
パチンコ機    １００
壁面    １２０
突起部    ２２１，２２１ａ，２２１ｂ
【図１】
0004516512.tif 000002
【図２】
0004516512.tif 000003
【図３】
0004516512.tif 000004
【図４】
0004516512.tif 000005